(57)【要約】【課題】  魚釣用リールにおいて、部品点数の増大を抑えつつ、ドラグ力の大きさをより容易に視認できるようにする。【解決手段】  一実施形態におけるドラグ装置は、スプールに回転を伝える伝達ギヤに接する摩擦部材と、この摩擦部材を押圧する押圧部材と、この押圧部材に対して付勢力を作用させる付勢部材と、この付勢部材の付勢力を調節するナット（調節部材）と、このナットの外側に設けられたハンドルと、このハンドルに設けられた指標部材とを備え、この指標部材が、ナットと連結されたカム機構によってナットの回転に応じてハンドルアームの長手方向に移動し、ドラグ力（制動力）に対応するハンドルアーム上の位置に停止する。【選択図】  図１
2015226479.tif 000002
【特許請求の範囲】
【請求項１】
ハンドルアームを有する魚釣用リールのスプールの回転を制動するドラグ装置であって、
操作者による操作に応じて回転することにより、前記スプールに対する制動力を調節する調節部材と、
前記ハンドルアームに対して移動可能に支持される指標部材と、
前記調節部材の回転を前記指標部材の移動に変換する移動変換手段と
を備えるドラグ装置。
【請求項２】
前記指標部材は、前記調節部材の回転に応じて前記ハンドルアームの長手方向に直線運動する請求項１に記載のドラグ装置。
【請求項３】
前記移動変換手段は、前記調節部材と前記指標部材を連結するカム機構で構成される
請求項１又は２に記載のドラグ装置。
【請求項４】
前記カム機構は、前記調節部材の回転軸に略直交する当該調節部材の少なくとも一方の面に沿って設けられたカム溝と、当該カム溝を追従し前記指標部材に設けられたカムフォロワとによって構成され、当該カムフォロワは前記調節部材の回転軸からみて放射状に移動可能である請求項３に記載のドラグ装置。
【請求項５】
請求項１ないし４いずれかに記載のドラグ装置であって、
変位量に応じて前記制動力に対応する付勢力を生じる付勢部材を更に備え、
前記調節部材は、回転に応じて回転軸方向に移動することによって、前記付勢部材の前記変位量を調節する、
ドラグ装置。
【請求項６】
請求項１ないし５いずれかに記載のドラグ装置を備える魚釣用リール。
【請求項７】
ハンドルアームを有する魚釣用リールのスプールの回転を制動するドラグ装置であって、
操作者による操作に応じて回転することにより、前記スプールに対する制動力を調節する調節部材と、
前記ハンドルアームに対して移動可能に支持される指標部材と、
前記調節部材の回転を前記指標部材の移動に変換する移動変換手段と
を備えるドラグ装置用ユニット。
【発明の詳細な説明】
【技術分野】
【０００１】
本発明は、ドラグ装置、これを備える魚釣用リール及びドラグ装置用ユニットに関し、詳しくは、ハンドルアームを有する魚釣用リールのスプールの回転を制動するドラグ装置、これを備える魚釣用リール及びこうしたドラグ装置に用いられるドラグ装置用ユニットに関する。
【背景技術】
【０００２】
従来より、魚釣用リールには、巻き取る釣糸に過大な張力がかかった際に、釣糸の破断を避けるためにスプールを空転させるドラグ機構が設けられている。こうしたドラグ機構においては、一般に、スプールの空転の始まる閾値となる張力（ドラグ力）を調節することが可能となっている。操作者は、例えば、巻回する釣糸の太さを変更した際や、釣糸にかかる張力と釣糸の引き出し量との関係を変更したい際などにドラグ力を調節する。調節したドラグ力の大きさを操作者が確認できれば便利である。このようなドラグ力の大きさを操作者に提示する機構の開示例がある。例えば、特許文献１には、ドラグ力を調節する操作具に、この操作具の回転量に応じて間欠的に回転する指針を有する表示機構を設けたものが開示されている。
【先行技術文献】
【特許文献】
【０００３】
【特許文献１】実開平３−１１４９６３
【発明の概要】
【発明が解決しようとする課題】
【０００４】
しかしながら、特許文献１に開示されている装置では、ドラグ力の表示機構を操作具に設けているが、操作具が最も外側に配置されていない場合には、最も外側に配置されている他の部材がドラグ力の視認性を阻害してしまう。特に、両軸受リールでは、ドラグ力を調節する部材の外側にハンドルが設けられていることが多く、ドラグ力の表示機構を操作具に設けても、このハンドルがドラグ力の視認性を阻害してしまう。ドラグ力の表示機構をリール本体に設けると、両軸受リール等で多用されるドラグ装置では、ドラグ力を調節する操作具がリール本体に対してハンドルの回転とともに回転するので、表示機構が複雑化し、部品点数の増大を招いてしまう。
【０００５】
本発明の実施形態は、魚釣用リールにおいて、部品点数の増大を抑えつつ、ドラグ力の大きさをより容易に視認できるようにすることを目的の一つとする。本発明の実施形態の他の目的は、本明細書全体を参照することにより明らかとなる。
【課題を解決するための手段】
【０００６】
本発明の一実施形態に係るドラグ装置は、ハンドルアームを有する魚釣用リールのスプールの回転を制動するドラグ装置であって、操作者による操作に応じて回転することにより、前記スプールに対する制動力を調節する調節部材と、前記ハンドルアームに対して移動可能に支持される指標部材と、前記調節部材の回転を前記指標部材の移動に変換する移動変換手段と、を備える。
【０００７】
この一実施形態に係るドラグ装置において、変位量に応じて前記制動力に対応する付勢力を生じる付勢部材を更に備え、前記調節部材は、回転に応じて回転軸方向に移動することによって、前記付勢部材の前記変位量を調節する態様とすることもできる。
【０００８】
本発明の一実施形態に係る魚釣用リールは、上述した本発明の一実施形態に係るドラグ装置を備える。
【０００９】
本発明の一実施形態に係るドラグ装置用ユニットは、ハンドルアームを有する魚釣用リールのスプールの回転を制動するドラグ装置であって、操作者による操作に応じて回転することにより、前記スプールに対する制動力を調節する調節部材と、前記ハンドルアームに対して移動可能に支持される指標部材と、前記調節部材の回転を前記指標部材の移動に変換する移動変換手段と、を備える。
【発明の効果】
【００１０】
本発明の様々な実施形態によって、魚釣用リールにおいて、部品点数の増大を抑えつつ、ドラグ力の大きさをより容易に視認できるようになる。
【図面の簡単な説明】
【００１１】
【図１】一実施形態に係るドラグ装置１００を有する両軸受リール１０の分解斜視図。
【図２】図１とは反対側から見た分解斜視図。
【図３】両軸受リール１０の断面図。
【図４】ドラグ装置１００が制動力（ドラグ力）を表示する様子を説明するための図。
【発明を実施するための形態】
【００１２】
以下、本発明の様々な実施形態を適宜図面を参照して説明する。なお、図面における共通する構成要素には同一の参照符号が付されている。
【００１３】
本発明の一実施形態に係るドラグ装置１００は、魚釣用リール（例えば、両軸受リール）に用いられ、当該リールのスプールの回転を制動するものである。図１は、一実施形態のドラグ装置１００を備える両軸受リール１０の分解斜視図であり、図２は、図１とは反対側から見た分解斜視図である。
【００１４】
一実施形態における両軸受リール１０は、図１及び図２に示すように、リール本体１０１と、このリール本体１０１の内側に回転可能に軸支され釣糸が巻回されるスプール１０２と、リール本体１０１の一方の側部において回転可能に軸支される入力軸１０３と、この入力軸１０３の外周に回転可能に設けられた伝達ギヤ１０４と、この伝達ギヤ１０４の外側（リール本体１０１の方向と反対側）に接する摩擦部材１０５と、この摩擦部材１０５をリール本体１０１の方向に押圧する押圧部材１０６と、この押圧部材１０６に対して付勢力を作用させる付勢部材１０７と、この付勢部材１０７の付勢力を調節するナット（調節部材）１０８と、このナット１０８の外側（リール本体１０１の方向と反対側）に設けられたハンドル１０９と、このハンドル１０９に設けられた指標部材１１０とを備える。こうした両軸受リール１０を構成する各構成部材のうち、摩擦部材１０５、押圧部材１０６、付勢部材１０７、ナット１０８、及び、指標部材１１０が、本発明の一実施形態に係るドラグ装置１００を構成する部材である。なお、本明細書において、単に軸方向、周方向、径方向、及び回転方向と言う場合、入力軸１０３を基準とした方向を意味し、単に内側及び外側と言う場合、それぞれリール本体１０１側及びハンドル１０９側を意味する。
【００１５】
一実施形態におけるリール本体１０１は、スプール１０２を回転可能に軸支する本体部１０１１と、サイドプレート１０１２とを有し、この本体部１０１１とサイドプレート１０１２との間に、入力軸１０３、伝達ギヤ１０４、摩擦部材１０５、及び押圧部材１０６を収容する。また、本体部１０１１の外側側面には、スプール１０２の外側端部に設けられたピニオンギヤ１０２１が回転可能に露出している。
【００１６】
一実施形態における入力軸１０３は、略円柱形状を有する回転体であり、図示するように、外周面に配置される伝達ギヤ１０４を回転可能に支持するギヤ支持部１０３１と、断面がＤ型のＤカット形状を有する回転防止部１０３２と、この回転防止部１０３２よりも小径の略四角柱形状を有しハンドル１０９を固定するためのハンドル固定部１０３４と、を有する。ここで、回転防止部１０３２の外周面の一部には、後述するナット１０８をねじ係合するためのおねじが形成されている。また、入力軸１０３は、例えば公知のワンウェイクラッチ機構を設けることによって、釣糸を巻き取る方向にのみ回転可能となるように構成することもできる。後述するように、入力軸１０３及びスプール１０２は一体に回転するから、ワンウェイクラッチ機構等を設けることによって、意図せずに釣糸の繰り出し（引き出し）方向にスプール１０２が回転することを防止することができ、この結果、釣糸の絡みの発生を抑制することができる。
【００１７】
一実施形態における伝達ギヤ１０４は、略円環形状を有する回転体であり、図示するように、外周面に設けられた外歯車１０４１と、内周面に設けられた軸受穴１０４２と、ハンドル１０９の方向に開口する凹部１０４３と、を有する。軸受穴１０４２が入力軸１０３のギヤ支持部１０３１に嵌め合わされることにより、伝達ギヤ１０４は、入力軸１０３に対して回転可能に軸支されている。また、外歯車１０４１は、リール本体１０１から露出するスプール１０２のピニオンギヤ１０２１に係合し、これにより、伝達ギヤ１０４及びスプール１０２は一体に回転する。
【００１８】
一実施形態における摩擦部材１０５は、略円環形状を有し、伝達ギヤ１０４の凹部１０４３に接するように配置されている。この摩擦部材１０５は、後述する付勢部材１０７によって生じる付勢力を伝達ギヤ１０４に対して作用させ、この結果、伝達ギヤ１０４との間に摩擦力を生じる。ここで、摩擦部材１０５は、比較的高い摩擦係数を有すること、摩耗力の変化に対して摩擦係数の変化が少ないこと、及び、動摩擦係数と静止摩擦係数との差が小さいこと等の特性を有することが望ましい。また、一実施形態において、複数の摩擦部材１０５を備えることもできる。この場合、伝達ギヤ１０４と回転不可能に構成されたワッシャ（不図示）と、入力軸１０３と回転不可能に構成されたワッシャ（不図示）とを交互に重畳させ、その間にそれぞれ摩擦部材１０５を挟み込むような構成とすることもできる。これにより、複数の摩擦部材１０５とワッシャとの間に生じる摩擦力により伝達ギヤ１０４を制動することができるので、摩擦部材１０５が１枚の場合よりも大きな摩擦力を伝達ギヤ１０４に作用させることができる。
【００１９】
一実施形態における押圧部材１０６は、軸方向断面が略Ｔ字形状を有する回転体であり、リール本体１０１側に設けられ略円環形状を有する底部１０６１と、略円筒形状を有しハンドル１０９側に延びる円筒部１０６２と、を有する。底部１０６１の底面は摩擦部材１０５と接している。また、円筒部１０６２は、リール本体１０１のサイドプレート１０１２に設けられた穴部を介して外側に露出し、その先端が後述する付勢部材１０７と接している。押圧部材１０６の内周面は、断面がＤ型のＤカット形状を有しており、上述した入力軸１０３の回転防止部１０３２に嵌め合わせられる。この結果、押圧部材１０６は、入力軸１０３に対して回転不可能、且つ、軸方向に移動可能となる。
【００２０】
一実施形態における付勢部材１０７は、薄板ばねとして構成され、具体的には、２つの皿ばねが、その凹部を有する面同士を対向させるように配置されている。この一実施形態における付勢部材１０７は、変位量（圧縮量）に対して付勢力が線形に増加する線形ばねである。ここで、付勢部材１０７は、付勢力を生じ得る様々な形状のばね、又は、その他の部材によって構成され得る。
【００２１】
一実施形態におけるナット１０８は、径方向中央の円筒部から径方向外側に５つの突出部を有する略星型形状を有し、この５つの突出部から成る操作部１０８１と、円筒部の内周面に設けられためねじ部１０８２と、円筒部のハンドル１０９側の面に設けられたカム溝１０８３と、を有する。ナット１０８は、こうした略星型形状を有することにより、操作者による回転操作を受け入れ易くなっている。めねじ部１０８２は、入力軸１０３の回転防止部１０３２の外周面の一部に設けられたおねじに螺合し、これにより、ナット１０８は、操作者による回転操作に応じた軸方向の位置で入力軸１０３に対して固定され、押圧部材１０６との間で付勢部材１０７を圧縮する。
【００２２】
ここで、一実施形態におけるカム溝１０８３は、渦巻形状を有する溝として構成されており、この渦巻形状は、溝の始点（中心）から終点に進むに従って（ナット１０８の回転量に応じて）中心からの径方向距離が大きくなる。このカム溝１０８３の渦巻形状は、所謂「アルキメデスの螺旋」と呼ばれる形状となっており、ナット１０８の中心から溝までの径方向距離をｆ、溝に沿った移動距離（ナット１０８の回転量）をｎとすると、ｆ＝αｎ（αは比例定数）という関係が成立する。
【００２３】
また、ナット１０８の円筒部の外周面のハンドル１０９側（操作部１０８１よりも外側）には、補助目盛１０８４が設けられている。この補助目盛１０８４は、一定間隔（角度）毎（例えば３０°毎）に設けられており、これにより、操作者は、ナット１０８の回転量（回転角度・位置）を視認し易くなる。
【００２４】
一実施形態におけるハンドル１０９は、両軸受リール１０の最外側に設けられ、径方向に延びる略平板形状を有するハンドルアーム１０９１と、このハンドルアーム１０９１の径方向外側端部に設けられた操作ノブ１０９２と、を有する。ハンドルアーム１０９１は、径方向内側端部に設けられた矩形状の固定穴１０９３と、リール本体１０１側の面において長手方向に延びる直線状に設けられた案内溝１０９４と、径方向内側端部の側面に設けられた補助目盛１０９５と、を有する。固定穴１０９３には、上述した入力軸１０３のハンドル固定部１０３４が挿入されてナット等によって固定され、これにより、ハンドル１０９は入力軸１０３に対して固定される。また、補助目盛１０９５は、一定間隔毎（例えば２ｍｍ毎）に設けられており、これにより、操作者は、後述する指標部材１１０のハンドルアーム１０９１上の位置を視認し易くなる。
【００２５】
一実施形態における指標部材１１０は、略角筒状の形状を有し、リール本体１０１側の内壁に設けられた２つの案内ダボ１１０１と、リール本体１０１側の外壁に設けられたカムフォロワ１１０２と、を有する。この指標部材１１０は、ハンドルアーム１０９１の外周を囲むように設けられ、また、案内ダボ１１０１は、ハンドルアーム１０９１の案内溝１０９４に係合している。この結果、案内ダボ１１０１が案内溝１０９４に案内され、指標部材１１０は、ハンドルアーム１０９１の長手方向に直線運動可能に支持されている。また、カムフォロア１１０２は、ナット１０８のカム溝１０８３に係合している。
【００２６】
このような構成を有する両軸受リール１０は、操作者がハンドル１０９を回転操作するると、ハンドル１０９が固定されている入力軸１０３が回転する。そして、入力軸１０３に回り止め固定されている押圧部材１０６は、付勢部材１０７の付勢力によって摩擦部材１０５を伝達ギヤ１０４に押圧しているから、摩擦部材１０５と伝達ギヤ１０４との間に生じる摩擦力の作用によって伝達ギヤ１０４が回転し、ピニオンギヤ１０２１を介してスプール１０２も回転する。このように、操作者は、ハンドル１０９の回転操作によって、スプール１０２を回転させて釣糸を巻き取ることができる。
【００２７】
次に、こうして構成されたドラグ装置１００の動作について説明する。まず、スプール１０２の回転を制動する動作について説明し、次に、制動力（ドラグ力）を表示する動作について説明する。
【００２８】
一実施形態におけるドラグ装置１００が有するドラグ機構は、上述したように、入力軸１０３に回り止め固定されている押圧部材１０６が、付勢部材１０７の付勢力に応じて摩擦部材１０５を伝達ギヤ１０４に押圧し、摩擦部材１０５と伝達ギヤ１０４との間で生じる摩擦力によって伝達ギヤ１０４の回転を制動し、この伝達ギヤ１０４の外歯車１０４１とピニオンギヤ１０２１が係合しているスプール１０２の回転を制動する、というものである。ここで、この実施形態におけるドラグ装置１００では、スプール１０２に入力軸１０３の回転を伝達する伝達ギヤ１０４の回転を制動するように構成しているが、スプール１０２の回転を直接制動するように構成することもでき、また、スプール１０２に回転を伝達する伝達ギヤ１０４以外のその他の伝達機構の回転を制動するように構成することもできる。
【００２９】
こうしたドラグ機構を備える一実施形態のドラグ装置１００において、スプール１０２に巻回された釣糸に働く張力Ｔが比較的小さい間は、摩擦部材１０５から作用する静止摩擦力によって伝達ギヤ１０４（及びスプール１０２）は入力軸１０３に対して回転しない。そして、この張力Ｔが所定の閾値Ｔｍａｘ以上となった場合に、伝達ギヤ１０４が入力軸１０３に対して回転（空転）するようになる。このとき、伝達ギヤ１０４に対して動摩擦力が作用する。このようにして、一実施形態におけるドラグ装置１００によって実現されるドラグ機構により、釣糸に所定の力（Ｔｍａｘの力）を超える力が作用しないようにすることができ、この結果、釣糸の切断を抑制することができる。
【００３０】
この制動力（所定の閾値Ｔｍａｘ）の調節は、ナット１０８を回転操作して入力軸１０３の軸方向に移動させ、これにより付勢部材１０７の変位量（圧縮量）を変更する（付勢力を変更する）ことによって実現される。この制動力の調節について図３を参照してさらに説明する。付勢部材１０７の変位量をｘ、付勢部材１０７のばね定数をｋ、摩擦部材１０５と伝達ギヤ１０４との間の摩擦係数をμとすると、摩擦部材１０５から伝達ギヤ１０４に作用する摩擦力Ｆは、クーロンの摩擦法則によれば、Ｆ＝μｋｘとなる。また、摩擦部材１０５の等価摩擦直径の１／２に相当する径（等価摩擦半径）をＲ１、伝達ギヤ１０４のピッチ円半径をＲ２、ピニオンギヤ１０２１のピッチ円半径をＲ３、釣糸の巻き取り半径をＲ４とする（図３を参照）。なお、釣糸の巻き取り半径Ｒ４は、スプール１０２の軸芯からスプール１０２に巻かれた釣糸の表面までの距離を意味する。そうすると、伝達ギヤ１０４を介してスプール１０２（ピニオンギヤ１０２１）に作用する力Ｇは、Ｇ＝μｋｘ・Ｒ１／Ｒ２となる。そして、この力ＧよりもＴ・Ｒ４／Ｒ３によって表される力が大きくなると、伝達ギヤ１０４が入力軸１０３に対して回転（空転）を始めることになる。したがって、空転を始める閾値となる張力Ｔｍａｘに関し、μｋｘ・Ｒ１／Ｒ２＝Ｔｍａｘ・Ｒ４／Ｒ３という関係が成立するから、Ｔｍａｘ＝（μｋｘ・Ｒ１・Ｒ３）／（Ｒ２・Ｒ４）と表すことができる。このように、Ｔｍａｘは、付勢部材１０７の変位量ｘに比例するから、ナット１０８の軸方向への移動によって変位量ｘを変更することにより、スプール１０２（伝達ギヤ１０４）が入力軸１０３に対して回転を始める張力Ｔｍａｘを調節することができる。
【００３１】
次に、一実施形態のドラグ装置１００が制動力（ドラグ力）を表示する動作について説明する。上述したように、制動力の調節は、操作者がナット１０８を回転操作することによって行われる。一実施形態では、このナット１０８の回転を、カム溝１０８３及びカムフォロワ１１０２とによって構成されるカム機構（移動変換手段）の作用により、指標部材１１０の直線運動に変換する。即ち、ナット１０８の回転に応じて指標部材１１０のカムフォロワ１１０２が渦巻形状のカム溝１０８３を追従し、この結果、指標部材１１０は、ハンドルアーム１０９１の案内溝１０９４に沿って移動（直線運動）する。このように、一実施形態では、カム溝１０８３とカムフォロワ１１０２によって構成されるカム機構で、ナット１０８の回転を指標部材１１０の移動に変換する変換手段を構成している。上述したように、一実施形態におけるカム溝１０８３は、ｆ＝αｎと表される渦巻形状を有しているので、ナット１０８を１回転させる毎に指標部材１１０は径方向（ハンドルアーム１０９１の長手方向）にα移動することになる。図４は、ドラグ装置１００が制動力を表示する様子を説明するための図である。図４（Ｂ）は図４（Ａ）の状態からナット１０８を７２０°回転させたとき（２回転させたとき）のナット１０８と指標部材１１０との位置関係を示す。図示するように、指標部材１１０は、ナット１０８の回転量に応じた位置（図中、左方向に２α移動した位置）までハンドルアーム１０９１の長手方向に沿って移動して停止している。ここで、ナット１０８の回転量と制動力（付勢部材１０７の付勢力）とは対応している（比例関係にある）ため、操作者は、指標部材１１０のハンドルアーム１０９１上の位置によって制動力の大きさを認識することができる。
【００３２】
また、操作者は、ハンドルアーム１０９１上の指標部材１１０の位置に加え、ナット１０８に設けられた補助目盛１０８４によってナット１０８の回転角度・位置を確認することもできる。例えば、ナット１０８の１回転未満の回転により制動力を調節する場合、ハンドルアーム１０９１上の指標部材１１０の位置に加え、ナット１０８の回転角度・位置を確認するのが便利である。
【００３３】
以上説明した一実施形態におけるドラグ装置１００では、操作者による操作に応じて回転することによりスプール１０２（伝達ギヤ１０４）に対する制動力を調節するナット（調節部材）１０８と、ハンドルアーム１０９１に設けられ、ナット１０８の回転に応じてハンドルアーム１０９１の長手方向に移動し、制動力に対応するハンドルアーム１０９１上の位置に停止する指標部材１０１と、を備える。従って、操作者は、指標部材１０１のハンドルアーム１０９１上の位置により制動力を認識することができる。ここで、一般に、魚釣用リールのハンドルアームは操作者から視認し易い位置に設けられているから、ハンドルアームに設けられた指標部材は、操作者によって視認し易い。また、指標部材１０１をハンドルアーム１０９１に設けることにより、ハンドル１０９の回転位置にかかわらず、操作者は、指標部材１０１を容易に視認することができる。
【００３４】
また、一実施形態におけるドラグ装置１００は、ナット１０８とカム機構を介して連結された指標部材１０１をハンドルアーム１０９１に設けることによってドラグ力を表示する。従って、ドラグ力を表示する機構を有しないドラグ装置と比較して、新たに必要な部品は指標部材１０１のみである。このように、一実施形態のドラグ装置１００は、部品数の増大を抑制しつつ、ドラグ力を表示する機構を簡易に実現することができる。
【００３５】
一実施形態におけるドラグ装置では、釣糸に働く張力Ｔが閾値Ｔｍａｘを超えたときには、スプール１０２は入力軸１０３に対して空転する。したがって、この閾値Ｔｍａｘを調整するには、上述のようにナット１０８を入力軸１０３に対して回転させる構成が望ましい。この構成では、入力軸１０３に螺合されたナット１０８は、ハンドル操作とともにリール本体に対して回転する。
【００３６】
上述した本発明の一実施形態では、指標部材１１０をハンドルアーム１０９１に対して移動可能に支持している。このため、ナット１０８と指標部材１１０の位置関係は、ハンドル操作によって変化することは無いため、リール本体などに指標部材を設ける場合に比べて、簡単な構成でナット１０８の回転を指標部材の移動に変換する機構を実現できる。これにより、部品点数の増大を抑えることができる。
【００３７】
上述した実施形態では、移動変換手段としてナット１０８に設けられたカム溝１０８３と、指標部材１１０に設けたカムフォロワ１１０２によって構成されるカム機構を例示したが、本発明の実施形態は、こうした構成に限定されない。例えば、移動変換手段としてラックアンドピニオン機構を用いても良い。この場合は、指標部材にラック歯車を設け、このラック歯車と噛み合うピニオン歯車を、ナット１０８の回転に応じて回転させれば良い。
【００３８】
上述した実施形態では、圧縮に応じて付勢力を生じる薄板ばね（圧縮ばね）を付勢部材として用いたが、引張りに応じて付勢力を生じる引張りばね等の付勢部材を用いて本発明の一実施形態に係るドラグ装置を構成することも可能である。また、上述した実施形態では、変位量（圧縮量）に対して付勢力が線形に増加する線形ばねを例示したが、付勢力が非線形に増加する付勢部材を用いることも可能である。この場合、非線形に増加する付勢力に対応する位置に指標部材が移動するようにカム溝の形状を設定すれば良い。
【００３９】
上述した実施形態では、摩擦部材１０５と伝達ギヤ１０４との間に作用する摩擦力によって伝達ギヤ１０４（スプール１０２）の回転を制動する構成のドラグ装置を例示したが、本発明の実施形態は、こうした構成に限定されない。例えば、摩擦力以外の制動力（例えば、流体の粘性又は電磁力を用いた制動力）によってスプールの回転を制動する構成とすることもできる。流体の粘性を用いた制動力を利用する構成としては、粘度を変更可能な粘性流体を、スプールに粘性力を与えられるように配置する構成を例示することができる。ここで、粘度を変更可能な粘性流体には、磁界の強さに応じて粘度の変わる磁性流体や、電界の強さに応じて粘度の変わる電気粘性流体などの機能性流体を挙げることができる。そして、ナット等の回転によって磁界の強さや電界の強さが変更されるように構成することで、スプールに対する制動力を調節することができる。ナット等の回転に応じて上記実施形態における指標部材１１０に相当する指標部材をハンドルアーム上で移動させる構成は、上記実施形態と同様である。また、電磁力を用いた制動力を利用する構成としては、例えば、スプール及びスプール軸の一方に電流を流すコイルを取り付け、他方に磁石を取り付ける構成を例示することができる。こうした構成によって、磁石とコイルの間に生じるローレンツ力をスプールに対する制動力として利用することができる。そしてナット等の回転によって磁石の磁力やコイルへの電流が変更されるように構成することで、スプールに対する制動力を調節することができる。ナット等の回転に応じて上記実施形態における指標部材１１０に相当する指標部材をハンドルアーム上で移動させる構成は、上記実施形態と同様である。
【００４０】
上述した実施形態では、ドラグ装置全体について述べたが、本発明はドラグ装置用ユニット単体の実施形態としても適用され、上述した実施形態におけるドラグ装置と同様の効果を実現できる。上述した実施形態の説明からも明らかなように、例えば、付勢部材１０７、ナット１０８、ハンドル１０９、及び指標部材１１０は、単一のユニット（ドラグ装置用ユニット）として構成することができ、このドラグ装置用ユニットは、本発明の一実施形態に含まれる。そして、このドラグ装置用ユニットを交換可能とすることによって、ドラグ力（制動力）を表示する機能の無いドラグ装置を本発明の実施形態に係るドラグ装置として機能させることができる。また、一実施形態において、ドラグ装置用ユニットは、必ずしも付勢部材１０７を備える必要はなく、この付勢部材１０７は、ドラグ装置本体側が備える構成とされ得る。
【００４１】
本発明の実施形態は、上述した実施形態に限定されるものではなく、その要旨を逸脱しない範囲内で様々な変更が可能である。例えば、上述した実施形態における各部材の、材質、形状、寸法、形態、数、又は配置等は適宜変更され得る。
【符号の説明】
【００４２】
１０    両軸受リール
１００  ドラグ装置
１０１  リール本体
１０２  スプール
１０３  入力軸
１０４  伝達ギヤ
１０５  摩擦部材
１０６  押圧部材
１０７  付勢部材
１０８  ナット（調節部材）
１０８３  カム溝
１０９  ハンドル
１０９１  ハンドルアーム
１１０  指標部材
１１０２  カムフォロワ
【図３】
2015226479.tif 000003
【図４】
2015226479.tif 000004
【図１】
2015226479.tif 000005
【図２】
2015226479.tif 000006